(57)【要約】その外側面（４）におけるｎ個の小孔（３）と、骨への導入に適した前開放端（５）と、後端（６）と、円筒長手方向軸（７）とを有する中空円筒（２）から成る骨固定要素（１）。中空円筒（２）の剛性は、その長手方向軸（７）にわたって後端（６）から前端（５）まで減少する。その構造により、骨固定要素（１）は、適切な剛性に対する要求を満たし、したがって、骨、特に骨粗鬆症の骨における固定を長期間保証しうると同時に、生物学上の基礎条件を満たすことができる。
2005537042.tif 000002
【特許請求の範囲】
【請求項１】
その外側面（４）におけるｎ個の小孔（３）と、骨への挿入に適した前開放端（５）と、後端（６）と、円筒長手方向軸（７）とを有する中空円筒（２）の形の骨固定要素（１）において、
前記中空円筒（２）の剛性がその長手方向軸（７）に亘り前記後端（６）から前記前端（５）に向かって減少することを特徴とする骨固定要素（１）。
【請求項２】
前記剛性が連続的に減少することを特徴とする請求項１に記載の骨固定要素（１）。
【請求項３】
前記中空円筒（２）の前記剛性が前記中空円筒（２）の前３分の１において、前記中空円筒（２）の後ろ３分の１における前記剛性よりも少なくとも２０％大きいことを特徴とする請求項１または２に記載の骨固定要素（１）。
【請求項４】
前記後端（６）が、荷重伝達体、好ましくは骨プレートの嵌合または圧接による受け入れに適している手段を備えていることを特徴とする請求項１〜３のいずれか１項に記載の骨固定要素（１）。
【請求項５】
多孔率−全外側面（４）Ｍに対する前記ｎ個の小孔面総数Ｓ間のＳ／Ｍ比として−が、前記後端（６）から前記前端（５）まで増大することを特徴とする請求項１〜４のいずれか１項に記載の骨固定要素（１）。
【請求項６】
前記中空円筒（２）の前３分の１の前記多孔率が、前記中空円筒（２）の後３分の１の前記多孔率よりも少なくとも２０％大きいことを特徴とする請求項５に記載の骨固定要素（１）。
【請求項７】
前記中空円筒（２）の壁厚が、前記後端（６）から前記前端（５）まで好ましくは連続的に減少することを特徴とする請求項１〜６のいずれか１項に記載の骨固定要素（１）。
【請求項８】
前記中空円筒（２）の前記壁厚が、前記中空円筒（２）の前３分の１において、前記中空円筒（２）の後３分の１の前記壁厚よりも少なくとも２０％小さいことを特徴とする請求項７に記載の骨固定要素（１）。
【請求項９】
前記中空円筒（２）の前記外側面（４）における前記ｎ個の小孔が、最小の直径として少なくとも０．５ｍｍを有することを特徴とする請求項１〜８のいずれか１項に記載の骨固定要素（１）。
【請求項１０】
外側ネジ山（８）が、前記中空円筒（２）の前記外側面（４）上に少なくとも部分的に設けられていることを特徴とする請求項１〜９のいずれか１項に記載の骨固定要素（１）。
【請求項１１】
前記小孔（３）の縁の形が円形または卵形であることを特徴とする請求項１〜１０のいずれか１項に記載の骨固定要素（１）。
【請求項１２】
前記小孔（３）の前記形が角形、好ましくは三角形または四角形であることを特徴とする請求項１〜１０のいずれか１項に記載の骨固定要素（１）。
【請求項１３】
前記円筒の高さの１０分の１当りの前記小孔（３）の数が、前記前端（５）まで増大するが個々の前記小孔（３）の表面積は一定のままであることを特徴とする請求項１〜１２のいずれか１項に記載の骨固定要素（１）。
【請求項１４】
前記円筒の高さの１０分の１当りの前記小孔（３）の数が、前記前端（５）まで一定のままであるが個々の前記小孔（３）の前記表面積は前記前端（５）に向かって増大することを特徴とする請求項１〜１３のいずれか１項に記載の骨固定要素（１）。
【発明の詳細な説明】
【技術分野】
【０００１】
本発明は、請求項１の前文による骨固定要素に関する。
【背景技術】
【０００２】
従来のインプラントでは、異物であるインプラントに対する周囲の組織、特に骨の反応が不十分にしか考慮されていない。この場合、とりわけ局所の微小循環もしくは血流が損なわれるほか、局所のバイオメカニクスが変化する。
特に、チタン製またはスチール製の比較的剛性のインプラントの影響は、従来のインプラントにおいて不十分にしか考慮されていない。疲れ破壊を未然に防ぐために、インプラントはきわめて剛性かつ可能な限り硬く設計される。骨折治療中および残りの全期間中に使用されたインプラントは体内で少なくとも部分的に骨の荷重伝達を引受けるため、罹患部位における骨構造の薄化に対して反応性となる（ウォルフの法則）。このような骨の改造はインプラントの弛緩をもたらしうる。
【０００３】
特に、骨粗鬆症の骨における骨折ケアのために意図されている中空円筒（例えば、ＤＥ−Ｃ１９６２８４７３（特許文献１）およびＤＥ−Ｕ２９７  １０  ９７９（特許文献２）による）は、この現象をもたらしうる。この場合、まさにこの範疇のインプラントは問題ケースの骨粗鬆症に対して関心をひき起こすであろうが、それはこのインプラントからは低頻度のインプラント不全が期待されるためである。中空円筒の１つの内部の骨は維持され続け、小孔を通じて新しい骨が成長することになる。この両方によって理論上、骨粗鬆症の骨におけるインプラントの十分な固定がもたらされるであろう。
【特許文献１】ドイツ特許第Ｃ１９６２８４７３号公報
【特許文献２】ドイツ特許第Ｕ２９７１０９７９号公報
【発明の開示】
【０００４】
この点で本発明は改善を提供するものである。本発明の課題は、上述された不利点を回避する骨固定手段を提供することである。
【０００５】
微小循環および血流の損傷は、インプラント挿入中の供給血管の完全な分離に基づく。独自の検査により、中空円筒の内側および外側の血液供給の回復がきわめて短時間に可能であることが示された。中空円筒の内側の血液供給のためには、円筒ジャケットにおける小孔のほか、結果として組織液の潅流をもたらす繰り返し圧縮が決め手となる。潅流の規模は、さらにインプラントの剛性によって決まる。治療における骨の荷重による繰り返し圧縮は、隣接した骨部分の再生にもつながる。インプラントの骨統合も、決定的にその機械的特性、特にその剛性によって左右される。
【０００６】
本発明の課題は、その構造により、適切な剛性に対する要求を満たし、したがって、骨、特に骨粗鬆症の骨における固定を長期間保証しうると同時に、生物学上の基礎条件を満たす骨固定手段を提供することである。これは、残りの骨構造の維持を保証し、新しい骨の成長を促進する。
【０００７】
本発明は、請求項１の特徴を有する骨固定手段で上記の課題を解決する。
【０００８】
本発明によって達成される利点は、実質的に、本発明による骨固定手段により、中空円筒の剛性が、それを取り囲む骨の剛性、特に椎体に存在する皮質（約１０’０００〜２０’０００ＭＰａのＥ−モジュール）と海綿質（約１００〜５’０００ＭＰａ）との差に大幅に接近しうることにおいて確認される。さらに、荷重下に椎体の内部における骨固定手段の偏向および圧縮が、縁部位よりも強くなる。
【０００９】
インプラントの長手方向軸にわたるこの剛性の変化は、２つの処置、すなわち、
１．皮質と海綿質との間の移行部位における壁厚の削減と
２．中空円筒の開放端の方向で増大する多孔率の変化度によって達成されうる。
剛性の測定値としての軸方向および極性の断面の慣性モーメント（ＩｘおよびＩｐ）は、平均半径Ｒｍを有する薄い壁の円形の場合、およそ次式のように壁厚ｔおよび多孔率ｐ（孔面積／総表面積）によって決まる。
【００１０】
【数１】
2005537042.tif 000003
【００１１】
同じ大きさの円形の孔の配置が可能な限り密接している場合に達成される最大の多孔率は９０％である。ただし、壁の構造的統合を保証するためには、多孔率は８５％を超えてはならない。
パラメータ有限要素分析によって、円断面の剛性が指数関数的に壁厚によって決まることが測定しえた。
Ｗ断面〜ｔ２，７３４３は、ｔ／Ｒｍ＝｛０．４．．．０．０８｝に適用される。
すなわち、壁厚の５０％削減により断面の慣性モーメントが半分となり、円断面の剛性が約１５％減少する。
【００１２】
骨固定要素の特定の一実施形態においては、その剛性は後端から前端まで連続的に減少する。好ましくは、中空円筒の剛性は、中空円筒の前３分の１で、中空円筒の後３分の１における剛性よりも少なくとも２０％大きい。
特定の一実施形態においては、骨固定要素の後端には、荷重伝達体、好ましくは骨プレートの嵌合または圧接による受け入れに適している手段が備えられている。
特定の一実施形態においては、多孔率−全外側面Ｍに対するｎ個の小孔面総数Ｓ間のＳ／Ｍ比として−が、前記後端から前記前端まで増大する。好ましくは、中空円筒の前３分の１の多孔率は、中空円筒の後３分の１の多孔率よりも少なくとも２０％大きい。
【００１３】
さらに特定の一実施形態においては、中空円筒の壁厚が、後端から前端まで好ましくは連続的に減少する。好ましくは、中空円筒の壁厚は、中空円筒の前３分の１において、前中空円筒の後３分の１の壁厚よりも少なくとも２０％小さい。
特定の一実施形態においては、中空円筒の外側面におけるｎ個の小孔は、最小の直径として少なくとも０．５ｍｍを有する。
好ましくは、外側ネジ山が、中空円筒の外側面上に少なくとも部分的に設けられている。
小孔の形は、円形または卵形でありうるが、角形、好ましくは三角形または四角形でもありうる。
【００１４】
特定の一実施形態においては、円筒の高さの１０分の１当りの小孔の数は、前端まで増大するが、個々の小孔の表面積は一定のままである。別の一実施形態においては、円筒の高さの１０分の１当りの小の数は、前端まで一定のままであるが、個々の小孔の表面積は前端に向かって増大する。
本発明および本発明の諸構成が、多くの実施例の部分的概略図を用いて以下により詳しく説明される。
【発明を実施するための最良の形態】
【００１５】
好ましい実施形態の以下の説明は、図面といっしょに基礎となる本発明の十分な理解に役立つ。
図５に示されている骨固定要素１は、実質的に、その外側面４における多数の小孔３と、骨への導入に適した前開放端５と、後端６と、円筒長手方向軸７とを有する中空円筒２から成る。
【００１６】
図１に示されている中空円筒壁の部分完成は、小孔３が後方から前方へ連続的に拡大し、そのため中空円筒の剛性がその長手方向軸にわたって後端から前端へ向かって適切に減少することを示す。
後端６において、外側面４には外側ネジ山８が設けられている。
骨固定要素の後端には、（図示されていない骨プレート）に使用可能である円錐のヘッド９が形成されている。
【００１７】
図２〜４における変形は、穴の形状を変化させることにより多孔率を変化させるために示されている。円形の小孔の代わりに、卵形、四角形、または三角形の小孔が使用され、ここでこれらの小孔も後方から前方へ規則的に拡大する。この穴の形状の目的は、後方から前方への骨固定要素の剛性を減少させることにある。これは、同じ大きさであるが、後方から前方へより高頻度にまたはより密着して存在する穴が使用されることによっても達成されうる。
【図面の簡単な説明】
【００１８】
【図１】中空円筒壁を通じて横断面の数とともに小孔の拡大により多孔率が増大する中空円筒壁の部分完成を示す図である。
【図２】卵形の小孔による中空円筒壁の多孔率を変化させるための変形を示す図である。
【図３】四角形の小孔による中空円筒壁の多孔率を変化させるための変形を示す図である。
【図４】三角形の小孔による中空円筒壁の多孔率を変化させるための変形を示す図である。
【図５】部分的に切断された骨固定要素を示す斜視図である。
【符号の説明】
【００１９】
１  骨固定要素
２  中空円筒
３  小孔
４  外側面
５  前端
６  後端
７  円筒長手方向軸
８  外側ネジ山
９  円錐のヘッド
【図１】
2005537042.tif 000004
【図２】
2005537042.tif 000005
【図３】
2005537042.tif 000006
【図４】
2005537042.tif 000007
【図５】
2005537042.tif 000008
【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
その外側面（４）におけるｎ個の小孔（３）と、骨への挿入に適した前開放端（５）と、後端（６）と、円筒長手方向軸（７）とを有する中空円筒（２）の形の骨固定要素（１）において、
前記中空円筒（２）の剛性がその長手方向軸（７）に亘り前記後端（６）から前記前端（５）に向かって減少することを特徴とする骨固定要素（１）。
【請求項２】
前記剛性が連続的に減少することを特徴とする請求項１に記載の骨固定要素（１）。
【請求項３】
前記中空円筒（２）の前記剛性が前記中空円筒（２）の前３分の１において、前記中空円筒（２）の後ろ３分の１における前記剛性よりも少なくとも２０％大きいことを特徴とする請求項１または２に記載の骨固定要素（１）。
【請求項４】
前記後端（６）が、荷重伝達体、好ましくは骨プレートの嵌合または圧接による受け入れに適している手段を備えていることを特徴とする請求項１〜３のいずれか１項に記載の骨固定要素（１）。
【請求項５】
多孔率−全外側面（４）Ｍに対する前記ｎ個の小孔の面総数Ｓ間のＳ／Ｍ比として−が、前記後端（６）から前記前端（５）まで増大することを特徴とする請求項１〜４のいずれか１項に記載の骨固定要素（１）。
【請求項６】
前記中空円筒（２）の前３分の１の前記多孔率が、前記中空円筒（２）の後３分の１の前記多孔率よりも少なくとも２０％大きいことを特徴とする請求項５に記載の骨固定要素（１）。
【請求項７】
前記中空円筒（２）の壁厚が、前記後端（６）から前記前端（５）まで好ましくは連続的に減少することを特徴とする請求項１〜６のいずれか１項に記載の骨固定要素（１）。
【請求項８】
前記中空円筒（２）の前記壁厚が、前記中空円筒（２）の前３分の１において、前記中空円筒（２）の後３分の１の前記壁厚よりも少なくとも２０％小さいことを特徴とする請求項７に記載の骨固定要素（１）。
【請求項９】
前記中空円筒（２）の前記外側面（４）における前記ｎ個の小孔が、最小の直径として少なくとも０．５ｍｍを有することを特徴とする請求項１〜８のいずれか１項に記載の骨固定要素（１）。
【請求項１０】
外側ネジ山（８）が、前記中空円筒（２）の前記外側面（４）上に少なくとも部分的に設けられていることを特徴とする請求項１〜９のいずれか１項に記載の骨固定要素（１）。
【請求項１１】
前記小孔（３）の縁の形が円形または卵形であることを特徴とする請求項１〜１０のいずれか１項に記載の骨固定要素（１）。
【請求項１２】
前記小孔（３）の前記形が角形、好ましくは三角形または四角形であることを特徴とする請求項１〜１０のいずれか１項に記載の骨固定要素（１）。
【請求項１３】
前記円筒の高さの１０分の１当りの前記小孔（３）の数が、前記前端（５）まで増大するが個々の前記小孔（３）の表面積は一定のままであることを特徴とする請求項１〜１２のいずれか１項に記載の骨固定要素（１）。
【請求項１４】
前記円筒の高さの１０分の１当りの前記小孔（３）の数が、前記前端（５）まで一定のままであるが個々の前記小孔（３）の前記表面積は前記前端（５）に向かって増大することを特徴とする請求項１〜１３のいずれか１項に記載の骨固定要素（１）。
【国際調査報告】
2005537042.tif 000009
2005537042.tif 000010
2005537042.tif 000011
2005537042.tif 000012
2005537042.tif 000013
2005537042.tif 000014